(57)【要約】      （修正有）【課題】等間隔で環状に配置された６つ吸振部材、向き合った２組の吸振部材、又は１つ置きに配置された３つの吸振部材の何れかで様々な重量の筐体を安定して支持しつつ、支持面からの筐体の支持高さを自由に調整する。【解決手段】インシュレータ１は、支持面Ｓに載置される受け部材２と、脚部Ｋを支承する支承部材４と、支承部材４を受け部材２に支持する６つの吸振部材５とを備えている。吸振部材５は、支承部材４の下面に支承凹部４０を中心とする環状に等間隔で設けられた固定凹部４３に固定されている。受け部材２には、収容孔２１中心とする環状に等間隔で雌ネジ孔２２が設けられている。雌ネジ孔２２には、吸振部材５の下端を受ける支持位置調整部材３が螺着されている。各雌ネジ孔２２に対する支持位置調整部材３の螺着量を調節することで、支持位置調整部材３による吸振部材５の支持高さが個別に調整される。【選択図】図３
2012167740.tif 000002
【特許請求の範囲】
【請求項１】
筐体を支持する支持面に載置される受け部材と、
前記筐体を支承する支承部材と、
前記支承部材及び前記受け部材の何れか一方に等間隔で環状に配置されて、前記支承部材と前記受け部材との間に位置し、前記支承部材を前記受け部材に支持する６つの吸振部材と、
他方の前記支承部材又は前記受け部材に前記吸振部材毎に備えられた６つの雌ネジ孔に螺着されて前記吸振部材を受ける支持位置調整部材とを備えることを特徴とするインシュレータ。
【発明の詳細な説明】
【技術分野】
【０００１】
本発明は、筺体とその筺体を支持する支持面との間に配置されて筺体の振動を吸振するインシュレータに関する。
【背景技術】
【０００２】
下記の特許文献１には、スピーカボックス等の振動を吸収するインシュレータが開示されている。このインシュレータは、スピーカボックス等の筺体の底部を支承する支承部材と、基台に載置される受け部材との間に吸振部材を配置して構成されている。吸振部材は、コイル状に湾曲形成されて支承部材の下面に固着されており、下端部には円錐状の凸部を備えている。支承部材は、受け部材の上面に形成された凹部で吸振部材の凸部が支持されることで、受け部材に支持される。受け部材の下面には、調整ボルトを螺着される複数のネジ孔が設けられている。受け部材は、ネジ孔に螺着された調整ボルトが基台の上面に形成された凹所に支持されることで基台に支持され、各調整ボルトのネジ孔に対する螺着量を調節することで基台に対する傾きや高さが調整される。
【先行技術文献】
【特許文献】
【０００３】
【特許文献１】特許第３７７７０１９号公報
【発明の開示】
【発明が解決しようとする課題】
【０００４】
上記従来のインシュレータでは、支持面に支持する筐体の重量や支持面からの筐体の支持高さに応じて、インシュレータを使い分ける必要があった。
【０００５】
本発明は、このような状況に鑑みてなされたものであり、上記課題を解決することができるインシュレータを提供することを目的とする。
【課題を解決するための手段】
【０００６】
上記技術課題を達成するために、本発明のインシュレータは、筐体を支持する支持面に載置される受け部材と、前記筐体を支承する支承部材と、前記支承部材及び前記受け部材の何れか一方に等間隔で環状に配置されて、前記支承部材と前記受け部材との間に位置し、前記支承部材を前記受け部材に支持する６つの吸振部材と、他方の前記支承部材又は前記受け部材に前記吸振部材毎に備えられた６つの雌ネジ孔に螺着されて前記吸振部材を受ける支持位置調整部材とを備えることを特徴とする。
【発明の効果】
【０００７】
本発明によれば、等間隔で環状に配置された６つ吸振部材、向き合った２組の吸振部材、又は１つ置きに配置された３つの吸振部材の何れかで様々な重量の筐体を安定して支持しつつ、支持面からの筐体の支持高さを自由に調整できる。
【図面の簡単な説明】
【０００８】
【図１】（ａ）は本発明の一実施形態のインシュレータを示す縦断面図であり、（ｂ）はインシュレータが備える支持位置調整部材の底面図である。
【図２】図１に示すインシュレータの平面図である。
【図３】図１に示すインシュレータが筐体の支持面に設置された状態を示す第１の縦断面図であり、支持位置調整部材の螺着量と筐体の支持高さとの関係を示している。
【図４】図１に示すインシュレータが筐体の支持面に設置された状態を示す第２の縦断面図であり、支持位置調整部材の螺着量と筐体の支持高さとの関係を示している。
【図５】１に示すインシュレータで筐体の支持高さを調整する方法を示す図であり、吸振部材５の支持位置での断面を展開して示している。
【図６】吸振部材の変形例を示す図である。
【発明を実施するための形態】
【０００９】
以下、本発明の一実施形態について、図面を参照して説明する。図１は本実施形態のインシュレータ１を示す図であり、図２はその平面図である。
【００１０】
図１及び図２に示すように、インシュレータ１は、脚部Ｋを支承する支承部材４と、脚部Ｋを支持する支持面Ｓに載置されて支承部材４を受ける受け部材２とを備えている。なお、本実施形態では、ピアノの脚部Ｋを筐体としてインシュレータ１で支持する場合について説明する。
【００１１】
支承部材４は、円環状の平板体の内周縁の下面から有底筒状の支承部４２を延出させた形状を有しており、支承部４２の内底面から上方に延びた支承凹部４０を上面の中央部に開口させている。支承部材４の下面には、支承凹部４０の上端開口を中心とする環状に等間隔で、吸振部材５を固定するための固定凹部４３が備えられている。
【００１２】
吸振部材５は、支承部材４を受け部材２に支持するためのものであり、コイル状に湾曲形成されたバネ部材５１の下端に円錐状の凸部５２を固着して構成されている。吸振部材５は、支承部材４の固定凹部４３にバネ部材５１の上端部を収容されて固定凹部４３の内底面に接着剤を用いる等して固着されており、凸部５２を固定凹部４３の下方に位置させている。
【００１３】
受け部材２は、中央部に収容孔２１を備えた円環状の平板体から構成されている。収容孔２１は、受け部材２を上面から下面にかけて貫通しており、円形の開口形状を有している。収容孔２１は、後述する支承部材４の支承部４２を収容し、受け部材２に対する支承部材４の水平方向の位置決めをするためのものである。
【００１４】
受け部材２には、収容孔２１を中心とする環状に等間隔で６つの雌ネジ孔２２が設けられている。各雌ネジ孔２２は、受け部材２を上面から下面にかけて貫通しており、内周面に雌ネジ部を備えている。雌ネジ孔２２には、受け部材２での吸振部材５の支持位置を調整するための支持位置調整部材３が螺着される。
【００１５】
支持位置調整部材３は、円柱状を呈しており、雌ネジ孔２２の雌ネジ部に螺合される雄ネジ部３ａを外周面に、後述する吸振部材５の凸部５２を受けるための円錐状の凹部３１を上面に、雌ネジ孔２２に支持位置調整部材３を螺合させる工具の嵌合する嵌合部３ｂを下面にそれぞれ備えている。
【００１６】
インシュレータ１は、図３に示すように、支持位置調整部材３を雌ネジ孔２２に螺着した受け部材２を支持面Ｓに載置して、受け部材２の収容孔２１に支承部４２を上方から挿入し、支承部材４の各固定凹部４３から下方に延出した吸振部材５の凸部５２をそれぞれ支持位置調整部材３の凹部３１に収容することで、支承部材４を吸振部材５で受け部材２に支持して用いられる。インシュレータ１で支持されるピアノの脚部Ｋは、支承部材４の支承凹部４０に収容され、支承凹部４０の内底面で支持される。
【００１７】
受け部材２を支持面Ｓに載置する前に、雌ネジ孔２２への支持位置調整部材３の螺着量を調節することで、支持位置調整部材３による吸振部材５の支持面Ｓからの支持高さＨを調整し、図３に示す高さＨ１から図４に示す高さＨ２へと高くしたり、その逆に低くしたりできる。これに伴い、ピアノの脚部Ｋの支持面Ｓからの支持高さも調整される。
【００１８】
また、受け部材２が備える各雌ネジ孔２２への支持位置調整部材３の螺着量を個別に調節することで、各吸振部材５の支持位置調整部材３での支持高さも個別に調整することができる。このため、全ての吸振部材５、向かい合う何れか２組の固定凹部４３に固定された４つの吸振部材５、１つ置きに配置された固定凹部４３で固定された３つの吸振部材５の何れかで支承部材４を受け部材２に安定して支持することができる。
【００１９】
例えば、図５に示すように、固定凹部４３ａ〜４３ｆに固定された全ての吸振部材５ａ〜５ｆ（図５（ａ）参照）、向かい合う２組の吸振部材５ａ，５ｂ，５ｄ，５ｅ（図５（ｂ）参照）、又は、１つ置きに配置された３つの吸振部材５ａ，５ｃ，５ｅ（図５（ｃ）参照）で、支承部材４を受け部材２に６点，４点，又は３点で安定して支持することができる。
【００２０】
このため、脚部Ｋを備えたピアノの重量に応じて支承部材４を６点，４点，及び３点の何れで支持するかを選択することで、吸振部材５にかかる重量を調整することが可能となる。例えば、支持部材４を６点で支持するときには６つの吸振部材５で，４点で支持するときには４つの吸振部材５で，３点で支持するときには３つの吸振部材５で、支持部材４にかかる重量がそれぞれ分担されることとなる。このため、支持部材４で受ける重量に応じて６点，４点，及び３点の何れで支持するかを選択することで、バネ部材５１の撓み量が吸振に適した適切な範囲に収まるように吸振部材５にかかる重量を調整することができる。
【００２１】
また、吸振部材５の支持位置調整部材３での支持高さを調節することで、支承部材４支持面Ｓからの支持高さ、つまり、脚部Ｋの支持面Ｓからの支持高さを調整できる。例えば、図５（ａ）に示す例では吸振部材５ａ〜５ｆの支持高さ、図５（ｂ）に示す例では吸振部材５ａ，５ｂ，５ｄ，５ｅの支持高さ、図５（ｃ）に示す例では吸振部材５ａ，５ｃ，５ｅの支持高さを調節することで、支承部材４を６点，４点，３点で支持する場合の脚部Ｋの支持面Ｓからの支持高さを調整できる。
【００２２】
このように、本実施形態のインシュレータ１では、等間隔で環状に配置された６つ吸振部材５を同じく等間隔で環状に配置された支持位置調整部材３で支持することから、全て（６つ）の吸振部材５、向き合って配置された２組（４つ）の吸振部材５、又は１つ置きに配置された３つの吸振部材５で、それぞれ支承部材４を安定して支持した状態で、吸振部材５にかかる重量をバネ部材５１の撓み量を吸振に適した適切な範囲に収めつつ、脚部Ｋの支持高さを自由に調整することができる。この結果、インシュレータ１に高い吸振作用を発揮させて、ピアノの振動による変調歪みを改善すると共に支持面Ｓの振動を低減し、ピアノ本来のサウンドをクリアに再現することができる。しかも、ピアノの音が支持面Ｓに伝わることによる騒音を防止できる。
【００２３】
上記実施形態では、コイル状に湾曲形成されたバネ部材５１を用いて吸振部材５を構成した場合について説明した。しかしながら、支承部材４と受け部材２との間に配置されて支承部材４を受け部材２に弾性支持できるのであれば、吸振部材５の構成は任意である。例えば、図６（ａ）に示す吸振部材５Ａのように、上端から下端にかけて徐々に縮経された渦巻きの螺旋状のバネ部材５１Ａで構成してもよい。また、図６（ｂ）に示す吸振部材５Ｂのように、下端部が渦巻きの螺旋状に形成されたバネ部材５１Ｂで構成してもよい。
【００２４】
また、上記実施形態では、受け部材２の上面に設けた円錐状の凹部３１で吸振部材５の凸部５２を受けた場合について説明したが、吸振部材５が凸部５２を備えている必要はなく、例えば、平坦な底面の凹部３１でバネ部材５１の下端を受けてもよい。また、吸振部材５に設けた凹部３１で支持位置調整部材３に設けた凸部５２を受けるようにしてもよい。また、凸部５２は、バネ部材５１の下端だけでなく上端にも形成されていてもよい。
【００２５】
また、吸振部材５は、支承部材４と受け部材２との間に配置されて支承部材４を受け部材２に弾性支持できるのであれば、支承部材４及び受け部材２の何れに固定されていても、何れにも固定されていても、また、何れにも固定されていなくてもよい。例えば、吸振部材５の凸部５２を備えた端部を支承部材４又は受け部材２に固定する場合には、凸部５２の先端を支承部材４又は受け部材２に螺子止めする等して固定することができる。
【００２６】
また、支承部材４に設けた係合部と受け部材２に設けた係合部とを係合させ、又は、支承部材４及び受け部材２に設けた螺子部同士を螺着させる等して両者を一体化できるように構成し、インシュレータ１の使用時には一体化を解くことで、支承部材４を吸振部材５で受け部材２に弾性支持できるようにしてもよい。
【００２７】
また、実施の形態では、ピアノの脚部を筺体として支承部材４で支承した場合について例示したが、内部に振動源を持つ電気洗濯機、冷蔵庫、スピーカ等の吸振を必要とする種々の機器類の筐体の支持にも用いることができる。また、上記実施形態では、ピアノの脚部Ｋを支承凹部４０に収容して支持した場合について説明したが、支承凹部４０を備えずに支承部材４の上面に筐体を載置する構成としてもよい。また、受け部材２に対する支承部材４の水平方向の位置決め方法は任意である。
【００２８】
上記実施形態では、受け部材２に設けられた雌ネジ孔２２に支持位置調整部材３を螺着し、支承部材４に設けられた固定凹部４３に吸振部材５を固定した場合について説明した。しかしながら、受け部材２に設けた固定凹部に吸振部材５を固定し、支承部材４に設けた雌ネジ孔に支持位置調整部材３を螺着してもよい。
【符号の説明】
【００２９】
１  インシュレータ
２  受け部材
２１  収容孔
２２  雌ネジ孔
３  支持位置調整部材
３ａ  雄ネジ部
３ｂ  嵌合部
３１  凹部
４  支承部材
４０  支承凹部
４２  支承部
４３，４３ａ〜４３ｆ  固定凹部
５，５ａ〜５ｆ，５Ａ，５Ｂ  吸振部材
５１，５１Ａ，５１Ｂ  バネ部材
５２  凸部
Ｋ  脚部
Ｓ  支持面
Ｈ，Ｈ１，Ｈ２  高さ
【図１】
2012167740.tif 000003
【図２】
2012167740.tif 000004
【図３】
2012167740.tif 000005
【図４】
2012167740.tif 000006
【図５】
2012167740.tif 000007
【図６】
2012167740.tif 000008